(57)【要約】【課題】  ホログラムを用いた真正性識別体において、その真正性を高めるために、ホログラムとは異なる機能を有する、コレステリック液晶等の機能性材料を積層すると、積層工程が煩雑であって、且つ、積層によるホログラム画像のボケ・歪み等の劣化を抑制することが難しい等の問題があった。【解決手段】  ホログラム形成層のホログラム画像と同一形状、同一位置に複数の保磁力を有する磁気層を積層し、その磁気層の位置のみ光を通過させる磁気チェッカー等を用いて、目視にて鮮明なホログラム画像を確認したり、鮮明なホログラムが浮き出でてくる判定を可能とした。【選択図】  図１
2010228165.tif 000002
【特許請求の範囲】
【請求項１】
透明基材の一方の面に、ホログラム画像に対応した回折格子群を２以上含むホログラムレリーフを有する透明樹脂層、及び、前記ホログラムレリーフ上に前記ホログラムレリーフに追従するように反射性薄膜層が設けられており、その反射性薄膜層上に、前記１つの回折格子群と同一位置に同一保磁力の磁気層が形成され、且つ、異なる回折格子群に対応する磁気層が異なる保持力を有することを特徴とする真正性識別体。
【請求項２】
前記異なる回折格子群が、交互に隣接して設けられていることを特徴とする請求項１に記載の真正性識別体。
【発明の詳細な説明】
【技術分野】
【０００１】
本発明は、不正な意図に基づく偽造や改ざん等により得られたものと真正なものとの区別を可能にした真正性識別体に関するものである。また、本発明は、そのような真正性識別体を物品に適用するのに適するラベルの形態や転写シートの形態に加工したものにも関するものである。
本明細書において、配合を示す「部」は質量基準である。また、「ホログラム」はホログラムと、回折格子などの光回折性機能を有するものも含む。
【背景技術】
【０００２】
（主なる用途）本発明の真正性識別体の主なる用途としては、偽造防止分野に使用されるホログラムシートであって、具体的には、クレジットカード等の偽造されて使用されると、カード保持者やカード会社等に損害を与え得るもの、運転免許証、社員証、会員証等の身分証明書、入学試験用の受験票、パスポート等、紙幣、商品券、ポイントカード、株券、証券、抽選券、馬券、預金通帳、乗車券、通行券、航空券、種々の催事の入場券、遊戯券、交通機関や公衆電話用のプリペイドカード等がある。
これらはいずれも、経済的、もしくは社会的な価値を有する情報を保持した情報記録体であり、偽造による損害を防止する目的で、記録体そのものの真正性を識別できる機能を有することが望まれる。
【０００３】
また、これら情報記録体以外であっても、高額商品、例えば、高級腕時計、高級皮革製品、貴金属製品、もしくは宝飾品等の、しばしば、高級ブランド品と言われるもの、または、それら高額商品の収納箱やケース等も偽造され得るものである。また、量産品でも有名ブランドのもの、例えば、オーディオ製品、電化製品等、または、それらに吊り下げられるタグも、偽造の対象となりやすい。
さらに、著作物である音楽ソフト、映像ソフト、コンピュータソフト、もしくはゲームソフト等が記録された記憶体、またはそれらのケース等も、やはり偽造の対象となり得る。また、プリンター用のトナー、用紙など、交換する備品を純正材料に限定している製品などにも、偽造による損害を防止する目的で、そのものの真正性を識別できる機能を有することが望まれる。
【０００４】
（背景技術）
従来、情報記録体や上記した種々の物品（総称して、真正性識別対象物と言う。）の偽造を防止する目的で、その構造の精密さから、製造上の困難性を有すると言われるホログラムを真正性の識別可能なものとして適用することが多く行なわれている。しかしながら、ホログラムの製造方法自体は知られており、その方法により精密な加工を施すことができることから、ホログラムが単に目視による判定だけのものであるときは、真正なホログラムと偽造されたホログラムとの区別は困難である。
これらの真正性識別対象物、特にラベル形態や転写形態にてホログラム画像を施された物品は、ホログラム画像の目視確認という真正性識別のみでなく、新たな真正性識別方法を用いてその対象物の真正性を識別する必要が生じている。
【０００５】
（先行技術）
これらの要求に応えるため、ホログラムに積層して、入射した光の内、左回り偏光もしくは、右回り偏光のいずれか一方の光のみを反射する光選択反射層を有する真正性識別体が提案された。（例えば、特許文献１参照。）
この光選択反射層として、コレステリック液晶を使用し、偏光版等を用いて確認する方法で偽造防止性を高めている。
【０００６】
しかしながら、特許文献１の記載にあるように、ホログラム形成層上の反射性薄膜層の反射率が高いため、コレステリック液晶層で反射されず透過した光（選択的反射光の補色光）が、この反射性薄膜層で反射し、再びコレステリック液晶層へ戻る（以下戻り光とする）ことにより、この戻り光が、コレステリック液晶を観察する際のノイズ成分となって、選択的反射光に付加・混在し、液晶本来の色調とならず、視認・識別することすら難しくなっていた。
【０００７】
また、コレステリック液晶材料そのものが高価であり、その液晶性能を引き出すためには液晶層に接して、配向膜の形成が不可欠であって煩雑であり、さらには、コレステリック液晶の光散乱性により、ホログラム画像を再生する光がその液晶層を通過するときに画像にボケ・歪みを生じる等の問題があった。
このため、コレステリック液晶層の光散乱性を抑えたり、コレステリック液晶層そのものを薄くする等の工夫が考えられたが、コレステリック液晶層の光散乱性を抑えるために屈折率差を小さくしたり、コレステリック液晶層を薄くしたりすると、上記した光選択反射層としての機能が低下してしまい、ホログラム画像の鮮明性と偽造防止性能を確保する最適な条件を得ることが難しいという欠点を有していた。
【先行技術文献】
【特許文献】
【０００８】
【特許文献１】特開２００７−９０５３８号公報
【発明の概要】
【発明が解決しようとする課題】
【０００９】
そこで、本発明はこのような問題点を解消するためになされたものである。その目的は、ホログラム形成層のホログラム画像と同一形状、同一位置に磁気層を積層し、その磁気層の位置のみ光を通過させる磁気チェッカー等を用いて、目視にてホログラム画像と磁気チェッカーに現れる複数の画像が容易に同一と判断できる、もしくはホログラム画像が浮き上がる効果を出現して、真正性の識別が容易である真正性識別体を提供することである。
【課題を解決するための手段】
【００１０】
上記の課題を解決するために、
本発明の真正性識別体の第１の態様は、
透明基材の一方の面に、ホログラム画像に対応した回折格子群を２以上含むホログラムレリーフを有する透明樹脂層、及び、前記ホログラムレリーフ上に前記ホログラムレリーフに追従するように反射性薄膜層が設けられており、その反射性薄膜層上に、前記１つの回折格子群と同一位置に同一保磁力の磁気層が形成され、且つ、異なる回折格子群に対応する磁気層が異なる保持力を有することを特徴とするものである。
【００１１】
上記第１の態様の真正性識別体によれば、
透明基材の一方の面に、ホログラム画像に対応した回折格子群を２以上含むホログラムレリーフを有する透明樹脂層、及び、前記ホログラムレリーフ上に前記ホログラムレリーフに追従するように反射性薄膜層が設けられており、その反射性薄膜層上に、前記１つの回折格子群と同一位置に同一保磁力の磁気層が形成され、且つ、異なる回折格子群に対応する磁気層が異なる保持力を有することを特徴とする真正性識別体を提供することができる。
複数のホログラム画像を再生する回折格子群が、ホログラムレリーフとして、透明樹脂層面上に一平面として形成されており、反射性薄膜層を介して、この回折格子群と同一の形状であって、同一の位置に保磁力の異なる複数の磁気性能を有する磁気層（以下、「磁気パターン層」もしくは「磁気パターン層等」という。）を設けてあることにより、その磁気パターン層等のパターンに感応する「磁気チェッカー」や、「磁気マイクロカプセルシート」等により、前記回折格子群の対応する位置のみを、透過光を散乱させることなく通過させることで、対応するホログラム画像と、磁気チェッカー等の上に現れる画像との同一性を容易に確認できる。
これにより、簡易にその真正性識別体の「真正性」を判断できる。
【００１２】
磁気パターン層等は、前記回折格子群の位置に同調して形成されるが、これは、回折格子群の一部に位置情報を表わす小さく周期的な回折格子を設けておき、この回折格子を位置情報として、間欠送りが可能なシルクスクリーン印刷等を用いて形成することができる。
磁気パターン層には、ホログラム形成層を挟んで、その反対側にある「磁気チェッカー」等がその中に含んでいる「磁性材料」をパターン状に動かすものであるため、硬質磁性材料であって保磁力として１０〜１０００ｋＡ／ｍを持ち、且つ、残留磁束の大きい磁性体の中で、保磁力の異なる複数の磁性体を用いて磁気インキとし、パターン印刷が可能なシルクスクリーン印刷等を用いて、それぞれ対応するホログラム画像と同一形状、同一位置に形成される。
【００１３】
この磁性体を強く配向させることにより、透明基材及びホログラムレリーフを有する透明樹脂層を通して、その先にある磁気チェッカー等が有する磁性体（軟質磁性材料：磁性強度、すなわち保磁力として０．１〜１０ｋＡ／ｍを有し、微粒子粉体として流動性を有するものや、マイクロカプセルの中に極薄い円盤状であって容易に回転する磁性体を閉じ込められていて、磁場に感応して、光の通過／遮断を制御するもの。）を動かして、磁気チェッカー等上に対応するホログラム画像と同一の画像を浮き出させる。
もちろん、磁気パターン層が含む磁性体を交流消磁しておくと、「磁気チェッカー」等をかざしても、何もでてこず、前もって強く配向しておくことで上記の判別機能を発揮するため交流消磁を利用する偽造防止方法も可能である。
【００１４】
磁性材料としては、
硬質磁性材料として、フェライト系磁性材料（Ｃｏフェライト、Ｂａフェライト等）、ＮｄＦｅＢ系磁性材料、ＳｍＣｏ系磁性材料等の希土類系磁性材料、白金鉄、白金コバルト、ＦeＣoＣｒ合金等がある。
軟磁性材料としては、鉄系：電磁軟鉄、けい素鉄、鉄-コバルト合金（Ｆe 49Ｃｏ-2Ｖのパーメンジュール等）、Ｆe-Ｓｉ-Ａｌ合金（9.5Ｓｉ-5.5Ａｌのセンダスト等）、ニッケル−鉄系（ Ｎｉ40〜50％パーマロイ、Ｎｉ70〜80％パーマロイ、ＰＢパーマロイ、ＰＣパーマロイ等）、ＮＢ添加ハードパーム（79Ｎｉ-9Ｎｂ-Ｆｅ）等が使用できる。
【００１５】
磁気インキとしては、軟磁性材料又は、硬質磁性材料の粉体（粒径０．１μｍ〜１０μｍの針状、円筒状、円盤状のもの）を、熱可塑性樹脂例えば、塩化ビニル樹脂、塩化ビニリデン樹脂、酢酸ビニル樹脂、セルロース樹脂、ニトロセルロース樹脂、アクリル酸エステル樹脂、アクリルアミド樹脂、もしくはポリスチレン樹脂等、又は、熱硬化性樹脂として、不飽和ポリエステル樹脂、アクリルウレタン樹脂、エポキシ変性アクリル樹脂、エポキシ変性不飽和ポリエステル樹脂、アルキッド樹脂、もしくはフェノール樹脂等に均一に分散させ、パターン同調性能の高いシルクスクリーン印刷（ホログラム画像と同調させて、等間隔でホログラムレリーフ面に形成した位置検知用回折格子をＬＥＤ等で照明し、受光部でその位置を高い精度で検知しながら、パターン印刷ができる。）、オフセット印刷、グラビア印刷等により、反射性薄膜層上に形成し、加熱乾燥（イソシアネート等の架橋剤を加えても良い）、超音波乾燥、ＵＶ硬化乾燥、ＥＢ硬化乾燥等により乾燥、硬化させる。
【００１６】
磁気パターン層を硬化させることで、強い磁場で配向させたときの磁性材料の動き（回転・ズレ）を抑えることができる。もしくは、隣接する磁気パターン層間の相互作用を抑えることができる。
このパターン形状を目立たなくするため、同一色調（茶系、黒色等）の着色インキ層を重ねて設けることにより、ホログラム画像を目視観察したときに、磁気パターン層を判別しにくくすることもできる。
このパターン形状と、ホログラム画像のパターンとの同調は、真正性識別機能を考慮して、平面方向のズレは、±０．５ｍｍ以内、さらには、回折格子の画素サイズより小さいことが望ましく、±０．０３ｍｍ以内とするこが望ましい。このために、上記したホログラム画像パターンと磁気パターンとの同調性を高める位置検知用回折格子を小さく精度良く形成しておく必要がある。
【００１７】
本発明においては、保磁力の異なる複数の磁気パターンを形成し、それぞれの磁気パターンに対応した位置に、異なるホログラムを形成しているため、「磁気マイクロカプセルシート」等をかざしたときに、個々の磁気パターンに対応した位置のみ、「磁気マイクロカプセルシート」等が透過性を示し、その対応した位置に、その対応したホログラムを見ることができる。
この磁気パターンの位置を、真正性識別体上に離散した領域として形成すると、ホログラム画像としてみていた全体画像のうち、その離散している領域の部分のみ（対応する位置。）にホログラムが現れる。
【００１８】
このホログラムの出現の様子は、以下の様になる。
まず、「磁気マイクロカプセルシート」等を真正性識別体から離れた位置から近づけていくと、最初に硬質磁性材料に対応した位置のみにその対応したホログラムが出現し、さらに「磁気マイクロカプセルシート」等を真正性識別体に近づけると、軟質磁性材料に対応した別の位置にも、その対応したホログラムが出現する。
この出現するパターンは、保磁力の異なる数だけ表れる。
このホログラムが出現するパターンは、同一の保磁力を持つ磁性材料で形成した磁気パターンの形状に沿って現れ、最終的には（「磁気マイクロカプセルシート」等が真正性識別体に接したとき。）全ての磁気パターンが出現することになる。
【００１９】
もちろん、その磁気パターンは、同一の領域に形成してもよく、このときは、各磁気パターンを微細なセル状、もしくは帯状として、互い違いに形成することができる。各々のセルもしくは帯とホログラム形成位置とは、その個々について対応しており、一つの磁気パターンに対応する位置のホログラムと、別の磁気パターンに対応する位置のホログラムとは、全く別のものとすることができる。
この際、「磁気マイクロカプセルシート」等とかざす前のホログラムを観察すると、それぞれのセルもしくは帯と対応した別のホログラムを観察角度をかえることで確認することができるものとなっている。
【００２０】
このようにして作成したホログラム画像パターンと磁気パターンが同調した真正性識別体に対して、「磁気マイクロカプセルシート」をかざすと、強く着磁している磁気パターン部分のみ「磁気マイクロカプセルシート」が透明となり、ホログラム画像（もしくは、回折格子のパターンと同一のパターン）が現れて、その真正性を証明することができる。
「磁気マイクロカプセルシート」内のカプセルに包まれた燐片状の軟磁性材料を水平状態（遮蔽）から垂直状態（透過）へ回転させるためには、画像パターンに対して垂直方向の磁場を発生させる必要があるため、磁気パターンを形成する磁性材料としてＢａフェライトの様な円盤状磁性体を垂直方向に磁化できるように、その主軸（円盤の中心を通り円盤に垂直な軸）を垂直に向かせる配向処理を施して、磁気パターンの隅から隅まで垂直に着磁させる。
逆に、真正性識別体の近くのみに磁場を形成するためには、針状磁性体を水平方向に配置し、且つ、水平方向に着磁する。もちろん、円盤状磁性体の円盤に水平方向に着磁しても同様の効果が得られる。
【００２１】
このことにより、「磁気マイクロカプセルシート」がホログラム画像に精度良く同調し、その透過部分を通して歪みの少ない鮮明なホログラム画像を観察することができる。
また、現れた画像パターンとホログラム画像が同一であることにより、その真正性を識別することができる。
また、「磁気チェッカー」のように、磁性体が粉体であって、その粉体の粗密によって画像を表わすものは、着磁パターンを目視しやすい数十μｍ〜数百μｍ程度とすると、透過部分を通してホログラム画像を最も鮮明に見ることができる。
複数の磁気パターンとしては、２種類〜５種類とするが、特に２種類、もしくは３種類とすることが望ましい。これは、真正性識別体に「磁気マイクロカプセルシート」等を近づけたときに、真正性識別体との距離によって観察されるホログラムの様子を明確に切り替えるためである。すなわち、対応した磁気パターンの中にある磁性材料の保磁力とその発現する磁場の大きさにより「磁気マイクロカプセルシート」が透明となる位置がきまるが、各々の位置を再現性よく判定するために、設定する保磁力の差及び、パターンサイズ、充填する磁性材料の割合、磁化の強さを調整するが、６種類以上となると、その切り替わり位置が不明確となりるため、好適には２種類乃至は３種類とする。もちろん５種類までであれば、判定可能であるが、上記した種々の工夫が必要となる。
ただ、磁気パターン領域を離散的に設けるのであれば、その透明開始位置が個々変化するのみであるから、磁気パターンの種類をさらに増して用いることは可能である。
【００２２】
典型的な例を以下に示す。
・最も遠い位置：２０ｍｍ〜５０ｍｍの距離において、強く磁化された硬質磁性材料
（保磁力５００ｋＡ／ｍ〜８００ｋＡ／ｍ）の発現する磁場により、
「磁気マイクロカプセルシート」の対応する位置が透明となり、
最初のホログラムを確認する。
・次に遠い位置：５ｍｍ〜２０ｍｍの距離において、強く強く磁化された硬質磁性材料
（保磁力１００ｋＡ／ｍ〜５００ｋＡ／ｍ）の発現する磁場により、
「磁気マイクロカプセルシート」の対応する位置が透明となり、
最初のホログラムを確認する。
・接する位置  ：０ｍｍ〜５ｍｍの距離において、強く強く磁化された硬質磁性材料
（保磁力１ｋＡ／ｍ〜１００ｋＡ／ｍ）の発現する磁場により、
「磁気マイクロカプセルシート」の対応する位置が透明となり、
最初のホログラムを確認する。
このように磁気パターンを形成した真正性識別体に向けて「磁気マイクロカプセルシート」を近づけると、まず最初に部分的に透明になったところに、ホログラムを観察でき、さらに近づけると、その近傍に別のホログラムが見えてきて、「磁気マイクロカプセルシート」を真正性識別体に接すると、第３のホログラムを観察することができ、目視にて簡易に真正性を判別、確認することができる。
【００２３】
また、本発明の真正性識別体の第２の態様は、
前記異なる回折格子群が、交互に隣接して設けられていることを特徴とする。
本発明の真正性識別体の第２の態様によれば、
前記異なる回折格子群が、交互に隣接して設けられていることを特徴とする請求項１に記載の真正性識別体を提供することができる。
すなわち、複数の異なるホログラム画像を再生する回折格子群が２つ以上微細な間隔で交互に隣接して形成されていて、全体を目視で観察したときは、それらの回折格子群がお互いに干渉しあって、個別のホログラム画像を再現できず、全体が一様な回折像（個別の画像を再生せず、全体が一つの干渉縞のように見える。）としか観察されないが、その中の１つのホログラム画像に対応する部分だけを取りだす（各々のホログラム画像が、各々の回折格子画素で構成されているが、そのうち、１つのみのホログラム画像に対応した回折格子画素群の回折光のみを通過させ、他のホログラム画像に対応した回折格子画素群の回折光を遮蔽する。）と、お互いの干渉が解かれて、その一つのホログラム画像のみが浮き上がってくる。
【００２４】
この浮き上がり現象が発生すること、及び、「浮き上がったホログラム画像」と「磁気パターン」とが、例えば、「くじ」と「当選マーク」のような関連するものであった場合には、そのことをもって、その媒体の真正性を識別することができる。
回折格子群における回折格子画素の大きさは、１０μｍ〜５００μｍ、好ましくは、３０μｍから１００μｍとして、複数のホログラム画像を再生するこれらの画素が、帯状もしくは市松模様状に隣接している。５００μｍ以上では、画像が粗くなり、１０μｍ以下では、画素内の格子線の数が数十本以下となり、回折効率が低下する。
隣接する回折格子の干渉と、分離時の画像再現性からは、３０μｍから１００μｍが好ましい。このため、高い磁気パターン形成精度が要求される。また、磁気パターンの着磁方式も、垂直方向の着磁が好ましい。
本発明はこの現象を利用して、２つ以上隣接して形成されているその回折格子群の少なくとも２つについて、それぞれ異なる保磁力の磁気層を形成し、「磁気マイクロカプセルシート」等を近づけた際、一つの磁気パターンに対応する部分のみカプセルが開放し、単一のホログラムのみを再生して（ホログラム相互の干渉作用が働くことなく。）、鮮明な単一のホログラムが浮き上がらせる。「磁気マイクロカプセルシート」等が真正性識別体に接して磁気パターン形成位置全てが開放されると、再び、ホログラム相互の干渉作用が働き、単一のホログラムを観察することができず、七色に輝く単純回折格子のみが観察されるようにすることができる。すなわち、「磁気マイクロカプセルシート」等を真正性識別体から所定の距離離した位置でのみ、真贋判定をすべきホログラムを観察できることになり、偽造防止性が非常に高くなる。
【発明の効果】
【００２５】
本発明の真正性識別体によれば、
透明基材の一方の面に、ホログラム画像に対応した回折格子群を含むホログラムレリーフを有する透明樹脂層、及び、前記ホログラムレリーフに接するように反射性薄膜層が設けられており、その反射性薄膜層上に、前記回折格子群と同一位置に保磁力の異なる複数の磁気層が形成されていることを特徴とする真正性識別体が提供される。
また、本発明の他の真正性識別体によれば、
前記ホログラム画像が２つ以上の隣接する回折格子群からなる２つ以上のホログラム画像を含むホログラムレリーフを有する透明樹脂層、及び、前記ホログラムレリーフに接するように反射性薄膜層が設けられており、その反射性薄膜層上の前記回折格子群の少なくとも２つの各々の位置に保磁力の異なる磁気層が形成されていることを特徴とする真正性識別体が提供される。
【００２６】
すなわち、ホログラム形成層のホログラム画像と同一パターン形状、同一位置に複数の保磁力をもつ磁気層を積層し、そのいずれかの磁気層の位置のみ光を通過させる磁気チェッカー等を用いて、目視にて、鮮明なホログラム画像と磁気チェッカーに現れる画像が容易に同一と判断できる、もしくはホログラム画像が浮き上がる効果を出現して、真正性の識別が容易である真正性識別体が提供される。
【図面の簡単な説明】
【００２７】
【図１】は、本発明の１実施例を示す真正性識別体Ａの断面図である。
【図２】は、本発明の１実施例を判定するプロセスである。
【図３】は、本発明の他の実施例を判定するプロセスである。
【発明を実施するための形態】
【００２８】
（透明基材）本発明で使用される透明基材１は、厚みを薄くすることが可能であって、機械的強度や、真正性識別体Ａを製造する際の加工に耐える耐溶剤性および耐熱性を有するものが好ましい。使用目的にもよるので、限定されるものではないが、フィルム状もしくはシート状のプラスチックが好ましい。
例えば、ポリエチレンテレフタレート（ＰＥＴ）、ポリカーボネート、ポリビニルアルコール、ポリスルホン、ポリエチレン、ポリプロピレン、ポリスチレン、ポリアリレート、トリアセチルセルロース（ＴＡＣ）、ジアセチルセルロース、ポリエチレン／ビニルアルコール等の各種のプラスチックフィルムを例示することができる。
透明基材１の厚さは、通常５〜１００μｍであるが、反射性薄膜層３からの回り込み光を配慮する場合には、５〜５０μｍ、特に５〜２５μｍとすることが望ましい。
【００２９】
（ホログラムレリーフを有する透明樹脂層：ホログラム形成層ともいう。）本発明のホログラム形成層（２ａ：一つのホログラム及び２ｂ：別のホログラム）を構成するための透明な樹脂材料としては、各種の熱可塑性樹脂、熱硬化性樹脂、もしくは電離放射線硬化性樹脂を用いることができる。熱可塑性樹脂としてはアクリル酸エステル樹脂、アクリルアミド樹脂、ニトロセルロース樹脂、もしくはポリスチレン樹脂等が、また、熱硬化性樹脂としては、不飽和ポリエステル樹脂、アクリルウレタン樹脂、エポキシ変性アクリル樹脂、エポキシ変性不飽和ポリエステル樹脂、アルキッド樹脂、もしくはフェノール樹脂等が挙げられる。
これらの熱可塑性樹脂および熱硬化性樹脂は、１種もしくは２種以上を使用することができる。これらの樹脂の１種もしくは２種以上は、各種イソシアネート樹脂を用いて架橋させてもよいし、あるいは、各種の硬化触媒、例えば、ナフテン酸コバルト、もしくはナフテン酸亜鉛等の金属石鹸を配合するか、または、熱もしくは紫外線で重合を開始させるためのベンゾイルパーオキサイド、メチルエチルケトンパーオキサイド等の過酸化物、ベンゾフェノン、アセトフェノン、アントラキノン、ナフトキノン、アゾビスイソブチロニトリル、もしくはジフェニルスルフィド等を配合しても良い。
【００３０】
また、電離放射線硬化性樹脂としては、エポキシアクリレート、ウレタンアクリレート、アクリル変性ポリエステル等を挙げることができ、このような電離放射線硬化性樹脂に架橋構造を導入するか、もしくは粘度を調整する目的で、単官能モノマーもしくは多官能モノマー、またはオリゴマー等を配合して用いてもよい。
上記の樹脂材料を用いてホログラム形成層２を形成するには、感光性樹脂材料にホログラムの干渉露光を行なって現像することによって直接的に形成することもできるが、予め作成したレリーフホログラムもしくはその複製物、またはそれらのメッキ型等を複製用型として用い、その型面を上記の樹脂材料の層に押し付けることにより、賦型を行なうのがよい。
【００３１】
熱硬化性樹脂や電離放射線硬化性樹脂を用いる場合には、型面に未硬化の樹脂を密着させたまま、加熱もしくは電離放射線照射により、硬化を行わせ、硬化後に剥離することによって、硬化した透明な樹脂材料からなる層の片面にレリーフホログラムの微細凹凸を形成することができる。なお、同様な方法によりパターン状に形成して模様状とした回折格子を有する回折格子形成層も光回折構造として使用できる。
ホログラムは物体光と参照光との光の干渉による干渉縞を凹凸のレリーフ形状で記録されたもので、例えば、フレネルホログラムなどのレーザ再生ホログラム、及びレインボーホログラムなどの白色光再生ホログラム、さらに、それらの原理を利用したカラーホログラム、コンピュータジェネレーティッドホログラム（ＣＧＨ）、ホログラフィック回折格子などがある。また、マシンリーダブルホログラムのように、その再生光を受光部でデータに変換し所定の情報として伝達したり、真偽判定を行うものであってもよい。
【００３２】
微細な凹凸を精密に作成するため、光学的な方法だけでなく、電子線描画装置を用いて、精密に設計されたレリーフ構造を作り出し、より精密で複雑な再生光を作り出すものであってもよい。このレリーフ形状は、ホログラムを再現もしくは再生する光もしくは光源の波長（域）と、再現もしくは再生する方向、及び強度によってその凹凸のピッチや、深さ、もしくは特定の周期的形状が設計される。また、この手法によれば２つ以上のホログラム（1つのホログラム２ａ及び別のホログラム２ｂ等。）を所定の領域に精度よく形成することができ、且つ、同一領域に微細に区分けして（市松模様等のように。）互い違いに設けることも容易となる。
この1つのホログラム２ａ及び別のホログラム２ｂ等に位置あわせして、保持力の異なる磁気パターンを形成することになる。
また、カラーホログラム画像を、回折格子線からなる回折格子画素（同一の回折格子線からなる単一回折格子エリアの最小単位。これら画素から回折光としてでてくる光の集合が一つのカラーホログラム画像を形成する。）に要素分解し、所定の画素のサイズ、格子線ピッチ、格子線角度をその各要素に割り当てて再現するという画像処理方法を用いて形成することも可能である。
凹凸のピッチ（周期）は再現もしくは再生角度に依存するが、通常０．１μｍ〜数μｍであり、凹凸の深さは、再現もしくは再生強度に大きな影響を与える要素であるが、通常０．１μｍ〜１μｍである。
【００３３】
単一回折格子のように、全く同一形状の凹凸の繰り返しであるものは、隣り合う凹凸が同じ形状であればある程、反射する光の干渉度合いが増しその強度が強くなり、最大値へと収束する。回折方向のぶれも最小となる。立体像のように、画像の個々の点が焦点に収束するものは、その焦点への収束精度が向上し、再現もしくは再生画像が鮮明となる。
さらに、透明金属化合物薄膜の場合は、その薄膜の上下の面が、同一レリーフ形状であり且つ、その面と面の距離（すなわち膜厚さ）が均一であればあるほど、再現もしくは再生強度が大きくなる。
【００３４】
ホログラムレリーフ形状を賦形（複製ともいう）する方法は、回折格子や干渉縞が凹凸の形で記録された原版をプレス型（スタンパという）として用い、上記透明基材１及び反射性薄膜層３上に、前記原版を重ねて加熱ロールなどの適宜手段により、両者を加熱圧着することにより、原版の凹凸模様を複製することができる。形成するホログラムパターンは単独でも、複数でもよい。
複数の回折格子画素を隣接して互い違いに並べると、それぞれ別の回折光をだすため、全ての画素を照明すると具体的なホログラム画像とならず、虹色の平面回折格子のように観察されるが、一つのホログラム画像に対応する回折格子画素のみを選択的に照明するとその一つのホログラム画像が鮮明に浮き上がってくる。
この効果は、回折格子画素を３０μｍ〜１００μｍの帯状もしくは、市松文様とした時に最も顕著に現れる。
【００３５】
上記の極微細な形状を精密に再現するため、また、複製後の熱収縮などの歪みや変形を最小とするため、原版は金属を使用し、低温・高圧下で複製を行う。
原版は、Ｎｉなどの硬度の高い金属を用いる。光学的撮影もしくは、電子線描画などにより形成したガラスマスターなどの表面にＣｒ、Ｎｉ薄膜層を真空蒸着法、スパッタリングなどにより５〜５０ｎｍ形成後、Ｎｉなどを電着法（電気めっき、無電解めっき、さらには複合めっきなど）により５０〜１０００μｍ形成した後、金属を剥離することで作ることができる。
複製方式は、平板式もしくは、回転式を用い、線圧０．１トン／ｍ〜１０トン／ｍ、複製温度は、通常６０℃〜２００℃とする。
【００３６】
（反射性薄膜層）本発明では、ホログラム形成層（２ａ及び２ｂ）のホログラムレリーフ面に、反射性薄膜層３を形成する。この薄膜層は、入射した光を反射する必要があるため、ホログラム形成層２よりも高い屈折率を有する薄膜層であれば、特に限定されない。
反射性薄膜層３としては、真空薄膜法などにより形成される金属薄膜などの金属光沢反射層、又は透明反射層のいずれでもよいが、金属光沢反射層を部分的に設けたり、透明反射層を設けた場合は、その透明反射層を通して真正性識別対象物のデザイン等を確認できるので好ましい。但し、磁気パターンを隠すという意味では、金属光沢反射膜が望ましい。
透明反射層としては、ほぼ無色透明な色相で、その光学的な屈折率がホログラム形成層２のそれとは異なることにより、金属光沢が無いにもかかわらず、ホログラムなどの光輝性を視認できることから、透明なホログラムを作製することができる。例えば、ホログラム形成層２よりも光屈折率の高い薄膜、例として、ＺｎＳ、ＴｉＯ2、Ａｌ2Ｏ3、Ｓｂ2Ｓ3、ＳｉＯ、ＳｎＯ2、ＩＴＯなどがある。
【００３７】
好ましくは、金属酸化物又は窒化物であり、具体的には、Ｂｅ、Ｍｇ、Ｃａ、Ｃｒ、Ｍｎ、Ｃｕ、Ａｇ、Ａｌ、Ｓｎ、Ｉｎ、Ｔｅ、Ｔｉ、Ｆｅ、Ｃｏ、Ｚｎ、Ｇｅ、Ｐｂ、Ｃｄ、Ｂｉ、Ｓｅ、Ｇａ、Ｒｂ、Ｓｂ、Ｐｂ、Ｎｉ、Ｓｒ、Ｂａ、Ｌａ、Ｃｅ、Ａｕなどの酸化物又は窒化物他はそれらを２種以上を混合したものなどが例示できる。またアルミニウムなどの一般的な光反射性の金属薄膜も、厚みが２０ｎｍ以下になると、透明性が出てきて透明反射層として使用できる。
透明金属化合物の形成は、金属の薄膜と同様、ホログラム形成層２のホログラムレリーフ面に、１０〜２０００ｎｍ程度、好ましくは２０〜１０００ｎｍの厚さになるよう、蒸着、スパッタリング、イオンプレーティング、ＣＶＤ（化学蒸着法）などの真空薄膜法などにより設ければよい。透明反射膜を使用する場合は、磁気パターン層を隠すために、同一の色調の印刷層を重ねて設ける必要がある。
【００３８】
（磁気パターン層：１つの磁気パターン層４及び別の磁気パターン層５）
磁気パターン層は、前記した磁気インキを用いて、ホログラム形成層２に形成した個々のホログラムに対応した位置に形成する。ホログラムはその原理から高い冗長性を有するため、一つのホログラムの一部でも参照光があたると、その全体像を再生する機能がある。従って、前期磁気パターンは、対応する個々のホログラム形成部分より小さく形成する。すなわち、磁気パターンから発生する磁場は、その磁気パターンより一回り大きく発生するため、隣のホログラムに対応した部分まで開放してしまうことになる。この回り込みは、形成する磁気パターンの厚さと、磁性材料の形状、その磁気配向方向に依存するため、これらを考慮してその縮小割合を定める。例えば一つのホログラム２ａが３００μｍのセル状に分割して形成したものであれば、厚さ２０μｍとして２００μｍセルサイズ程度とする。
【００３９】
磁気パターン層４と磁気パターン層５の形成態様は図１の態様としてもよく、また、磁気パターン層４及び５とも、磁気パタ-ン層４のように形成してもよい。もちろん反射性薄膜層３を全て覆う必要はなく、一部でもよい。
磁性材料として、フェライト系磁性材料等の硬質磁性材料又は鉄-コバルト合金等の軟磁性材料を用いて、前記したごとく保磁力の異なる複数の磁気インキとし、適宜な樹脂等に分散して、前記反射性薄膜層３上に、それぞれ対応するホログラムが形成されている位置にあわせて、シルクスクリーン印刷、オフセット印刷、グラビア印刷等により、ＵＶ硬化乾燥等により乾燥、硬化させ形成する。
磁気パターン層は強い磁場で配向させるため磁気パターン層の硬化は、磁性材料の動き（回転・ズレ）を抑えることができる。もしくは、隣接する磁気パターン層間の相互作用を抑えることができる。
磁気パターン層を形成する際に、数μｍの隙間を作ると（磁気パターン形成面を小さなセル状とし、そのセル間により小さな隙間を設けるという意味。１００μｍセルに５μｍ程度の隙間を設ける等。）その隙間によって磁気パターン層のＮ極及びＳ極が発生し、その小さい隙間から磁場が立ち上がるため、磁場間の相互作用により、磁気パターン形成面に垂直な方向に向かう磁場が強められることになる。
このパターン形状を目立たなくするため、同一色調（茶系、黒色等）の着色インキ層を重ねて設けて、磁気パターン層を判別しにくくすることも好適である。
【００４０】
また、本発明の真正性識別体にさらに、粘着剤を施して粘着剤層６を形成してラベルとしたり、接着剤を施して転写シートとすることもできる。
その場合、粘着剤としては、従来公知の溶剤系及び水系のいずれの粘着剤、例えば、酢酸ビニル樹脂、アクリル樹脂、酢酸ビニル−アクリル共重合体、酢酸ビニル−塩化ビニル共重合体、エチレン−酢酸ビニル共重合体、ポリウレタン樹脂や、天然ゴム、クロロプレンゴムなどのゴム系樹脂などが挙げられる。
自然にやさしい材料構成とするために、特に、天然ゴムを主成分とするラテックス、それを変性したもの、特に天然ゴムにスチレン特にメタクリルさんメチルとをグラフト重合させて得た天然ゴムラテックス等の天然素材から作製されたものを用いても良く、形成厚さ、形成方法等は適宜選択する。
【００４１】
また、接着剤としては、接着剤としては、種々の物品に対する接着性を確保するためのものであるので、各磁気パターン層４又は５との接着性がよく、被着体と強固に接着できるものが好ましい。具体的には、塩化ビニル系樹脂、酢酸ビニル系樹脂、塩化ビニル−酢酸ビニル共重合体樹脂、アクリル系樹脂、ポリエステル系樹脂、ポリウレタン系樹脂、ポリアミド系樹脂、ゴム変性物などが挙げられ、これらの中から適するものを適宜選択して使用でき、また、これらは単体、もしくは２種以上の混合系で、更に必要に応じてハードレジンや可塑剤、その他の添加剤を加えて使用することができ、形成厚さ、形成方法等は適宜選択する。
【実施例】
【００４２】
（実施例１）
透明基材１として、１２μｍのＰＥＴフィルムの表面に、メラミン樹脂組成物を塗布し、ホログラム画像位置検知パターン付きのレリーフホログラム（「当」の文字画像：図２参照。１つのホログラム２ａは「当」の下半分の「ヨ」とし、別のホログラム２ｂは「当」のその残りの部分とした。）の複製用型の型面を、接触させたまま加熱硬化させることにより、レリーフホログラムの形成を行ない、厚さ３μｍのホログラム形成層２を得た。
このホログラム形成層２ａ及び２ｂ上に、ＡＬを真空蒸着して、厚みが１００ｎｍの反射性薄膜層３を形成し、位置検知パターンを検知しながら、シルクスクリーン印刷にて下記組成の磁気インキ１及び２を用いて、それぞれのホログラム（各々のホログラム画像再生部分）と同一位置に、５０μｍだけ小さく且つ２００μｍセル状且つ１０μｍの隙間をあけてそれぞれ厚さ３０μｍ及び１０μｍで形成した。
・＜磁気インキ組成物１＞
塩ビ・酢ビ樹脂                                                    ５０質量部
磁性材料（Ｂaフェライト：１００ｋＡ／ｍ）                         ２５質量部
体質顔料                                                            ５質量部
メチル・イソブチルケトン                                          ２０質量部
【００４３】
・＜磁気インキ組成物２＞
塩ビ・酢ビ樹脂                                                    ５０質量部
磁性材料（フェライト：１０ｋＡ／ｍ）                              ２５質量部
体質顔料                                                            ５質量部
メチル・イソブチルケトン                                          ２０質量部
この磁気パターン層４、５及び反射性薄膜層３上に、次の組成物をグラビアコーターで乾燥後の塗布量が２０μｍになるように、塗工し７０℃で乾燥させて、粘着剤層４を形成し、実施例１の真正性識別媒体Ａを得た。
・＜粘着剤組成物＞
酢酸ビニル−アクリル共重合体                                      ３０質量部
トルエン                                                          ４０質量部
酢酸ビニル                                                        ４０質量部
【００４４】
この真正性識別媒体Ａ´をパスポートに貼着した。そしてこのパスポート全体を強い磁場を用いて（２００ＫＡ／ｍ）各磁気パターン層を着磁した。
この真正性識別媒体Ａ上に、磁気マイクロカプセルシートを含む「ｃｈｅｃｋｅｒ」をパスポートに近づけて観察側から眺めると、磁気パターン１に対応するホログラム再生像と同一位置、同一部分の磁気カプセル部が開放（透明）となり、その開放部を通して、ホログラム画像「ヨ」が鮮明に観察できた。
さらに「ｃｈｅｃｋｅｒ」をパスポートに近づけて観察側から眺めると、磁気パターン１及び２に対応するホログラム再生像と同一位置、同一部分の磁気カプセル部が開放（透明）となり、その開放部を通して、ホログラム画像「当」が鮮明に観察できた。
このことにより、このパスポートが真正であると判断できた。
【００４５】
（実施例２）
ホログラム画像として、「当」の文字画像と「本物」の文字画像（図示せず。）を１００μｍ×１００μｍの回折格子画素に要素分解し、その画素を２列×１００行の「帯」を一単位として交互に配置したレリーフホログラムとし、且つ、磁気インキ組成物１を用いて１つの磁気パターン層４として１８０μｍ幅の帯状（１８０μｍ印刷と２２０μｍ隙間の連続パターン）とし、また、磁気インキ組成物２を用いて、別の磁気パターン層５として磁気パターン層４の隙間に、１８０μｍ幅の帯状（同上）とした以外は、実施例１と同様として実施例２を得た。
この真正性識別媒体Ａ´´上に、磁気マイクロカプセルシートを含む「ｃｈｅｃｋｅｒ」をパスポートに近づけて観察側から眺めると、磁気パターン１に対応するホログラム再生像と同一位置、同一部分の磁気カプセル部が開放（透明）となり、その開放部を通して、ホログラム画像「当」が鮮明に観察できた。
【００４６】
さらに「ｃｈｅｃｋｅｒ」をパスポートに近づけて観察側から眺めると、磁気パターン１及び２に対応するホログラム再生像と同一位置、同一部分の磁気カプセル部が開放（透明）となり、その開放部を通して、二つのホログラムが干渉しあい、単なる干渉縞のみとなった。
しかし、このパスポートを消磁し、弱い磁場配向（２０ＫＡ／ｍ）で着磁して観察したところ、「本物」の文字画像を確認することができた。
このことにより、このパスポートが真正であると確実に判断できた。
（比較例）
【００４７】
磁気パターン層４を形成せず、実施例１と同様にして判定したところ、磁気マイクロカプセル部分は遮蔽したままであり、なんらホログラム画像を観察することができなかった。このことにより、このパスポートが偽物であると判断できた。
【符号の説明】
【００４８】
Ａ、Ａ´、Ａ´´    真正性識別体
１      透明基材
２a     １つのホログラムレリーフを有する透明樹脂層（ホログラム形成層）
２ｂ    別のホログラムレリーフを有する透明樹脂層（ホログラム形成層）
３      反射性薄膜層
４      １つの磁気パターン層
５      別の磁気パターン層
６ 粘着剤層
【図１】
2010228165.tif 000003
【図２】
2010228165.tif 000004
【図３】
2010228165.tif 000005
【手続補正書】
【提出日】平成21年4月30日(2009.4.30)
【手続補正１】
【補正対象書類名】特許請求の範囲
【補正対象項目名】全文
【補正方法】変更
【補正の内容】
【特許請求の範囲】
【請求項１】
透明基材の一方の面に、ホログラム画像に対応した回折格子群を２以上含むホログラムレリーフを有する透明樹脂層、及び、前記ホログラムレリーフ上に前記ホログラムレリーフに追従するように反射性薄膜層が設けられており、その反射性薄膜層上に、前記１つの回折格子群と同一位置に同一保磁力の磁気層が形成され、且つ、異なる回折格子群に対応する磁気層が異なる保磁力を有することを特徴とする真正性識別体。
【請求項２】
前記異なる回折格子群が、交互に隣接して設けられていることを特徴とする請求項１に記載の真正性識別体。
【手続補正２】
【補正対象書類名】明細書
【補正対象項目名】００１０
【補正方法】変更
【補正の内容】
【００１０】
上記の課題を解決するために、
本発明の真正性識別体の第１の態様は、
透明基材の一方の面に、ホログラム画像に対応した回折格子群を２以上含むホログラムレリーフを有する透明樹脂層、及び、前記ホログラムレリーフ上に前記ホログラムレリーフに追従するように反射性薄膜層が設けられており、その反射性薄膜層上に、前記１つの回折格子群と同一位置に同一保磁力の磁気層が形成され、且つ、異なる回折格子群に対応する磁気層が異なる保磁力を有することを特徴とするものである。
【手続補正３】
【補正対象書類名】明細書
【補正対象項目名】００１１
【補正方法】変更
【補正の内容】
【００１１】
上記第１の態様の真正性識別体によれば、
透明基材の一方の面に、ホログラム画像に対応した回折格子群を２以上含むホログラムレリーフを有する透明樹脂層、及び、前記ホログラムレリーフ上に前記ホログラムレリーフに追従するように反射性薄膜層が設けられており、その反射性薄膜層上に、前記１つの回折格子群と同一位置に同一保磁力の磁気層が形成され、且つ、異なる回折格子群に対応する磁気層が異なる保磁力を有することを特徴とする真正性識別体を提供することができる。
複数のホログラム画像を再生する回折格子群が、ホログラムレリーフとして、透明樹脂層面上に一平面として形成されており、反射性薄膜層を介して、この回折格子群と同一の形状であって、同一の位置に保磁力の異なる複数の磁気性能を有する磁気層（以下、「磁気パターン層」もしくは「磁気パターン層等」という。）を設けてあることにより、その磁気パターン層等のパターンに感応する「磁気チェッカー」や、「磁気マイクロカプセルシート」等により、前記回折格子群の対応する位置のみを、透過光を散乱させることなく通過させることで、対応するホログラム画像と、磁気チェッカー等の上に現れる画像との同一性を容易に確認できる。
これにより、簡易にその真正性識別体の「真正性」を判断できる。
【手続補正４】
【補正対象書類名】明細書
【補正対象項目名】００３２
【補正方法】変更
【補正の内容】
【００３２】
微細な凹凸を精密に作成するため、光学的な方法だけでなく、電子線描画装置を用いて、精密に設計されたレリーフ構造を作り出し、より精密で複雑な再生光を作り出すものであってもよい。このレリーフ形状は、ホログラムを再現もしくは再生する光もしくは光源の波長（域）と、再現もしくは再生する方向、及び強度によってその凹凸のピッチや、深さ、もしくは特定の周期的形状が設計される。また、この手法によれば２つ以上のホログラム（1つのホログラム２ａ及び別のホログラム２ｂ等。）を所定の領域に精度よく形成することができ、且つ、同一領域に微細に区分けして（市松模様等のように。）互い違いに設けることも容易となる。
この1つのホログラム２ａ及び別のホログラム２ｂ等に位置あわせして、保磁力の異なる磁気パターンを形成することになる。
また、カラーホログラム画像を、回折格子線からなる回折格子画素（同一の回折格子線からなる単一回折格子エリアの最小単位。これら画素から回折光としてでてくる光の集合が一つのカラーホログラム画像を形成する。）に要素分解し、所定の画素のサイズ、格子線ピッチ、格子線角度をその各要素に割り当てて再現するという画像処理方法を用いて形成することも可能である。
凹凸のピッチ（周期）は再現もしくは再生角度に依存するが、通常０．１μｍ〜数μｍであり、凹凸の深さは、再現もしくは再生強度に大きな影響を与える要素であるが、通常０．１μｍ〜１μｍである。